(57)【要約】【課題】安価に製造でき、キーシートの誤装着を効果的に防止できる情報処理端末及びキーシート確認方法を提供する。【解決手段】情報処理端末は、情報を表示する表示部と、キーシートが装着され、情報を入力する入力部と、キーシートに設けられる識別子格納部から識別子を取得する識別子取得部と、キーシートの交換を検知した場合、識別子取得部を介して識別子格納部から識別子を取得し、識別子に基づいてコントローラにキーシートに関する情報を問い合わせ、コントローラが識別子に基づいて前記キーシートに関する情報を格納する格納部から読み出したキーシートに関する情報を受信し、受信したキーシートに関する情報に基づいてキーシートに関する情報を更新する制御部と、を備える。【選択図】図１３
2013250842.tif 000002
【特許請求の範囲】
【請求項１】
情報を表示する表示部と、
キーシートが装着され、情報を入力する入力部と、
前記キーシートに設けられる識別子格納部から識別子を取得する識別子取得部と、
前記キーシートの交換を検知した場合、前記識別子取得部を介して前記識別子格納部から前記識別子を取得し、前記識別子に基づいてコントローラにキーシートに関する情報を問い合わせ、前記コントローラが前記識別子に基づいて前記キーシートに関する情報を格納する格納部から読み出した前記キーシートに関する情報を受信し、受信した前記キーシートに関する情報に基づいて前記キーシートに関する情報を更新する制御部と、
を備える情報処理端末。
【請求項２】
前記キーシートは、
前記コントローラが印刷出力する請求項１記載の情報処理端末。
【請求項３】
前記コントローラは、
予め定められた条件が満たされた場合に前記情報処理端末にキーシートを交換すべき旨の指示を送信し、
前記情報処理端末は、
前記指示を受信した場合、前記指示を前記表示部に表示させる請求項１記載の情報処理端末。
【請求項４】
情報処理端末が、キーシートの交換を検知した場合、前記キーシートに設けられる識別子格納部から識別子を取得する識別子取得部を介して前記識別子格納部から前記識別子を取得し、
情報処理端末が、前記識別子に基づいてコントローラにキーシートに関する情報を問い合わせ、
情報処理端末が、前記コントローラが前記識別子に基づいて前記キーシートに関する情報を格納する格納部から検索して読み出した前記キーシートに関する情報を受信し、
情報処理端末が、受信した前記キーシートに関する情報に基づいて前記キーシートに関する情報を更新するキーシート変更方法。
【請求項５】
キーシートに関する情報を格納する格納部と、
前記キーシートを印刷する画像形成部を備え、前記格納部と接続するコントローラと、
情報を表示する表示部と、前記キーシートが装着され、情報を入力する入力部と、前記キーシートに設けられる識別子格納部から識別子を取得する識別子取得部と、前記キーシートの交換を検知した場合、前記識別子取得部を介して前記識別子格納部から前記識別子を取得し、前記識別子に基づいて前記コントローラにキーシートに関する情報を問い合わせ、前記コントローラが前記識別子に基づいて前記格納部から読み出した前記キーシートに関する情報を受信し、受信した前記キーシートに関する情報に基づいて前記キーシートに関する情報を更新する制御部と、を備える情報処理端末と、
前記コントローラと前記情報処理端末とを接続する通信インターフェースと、
を備える情報処理システム。
【請求項６】
前記コントローラは、
予め定められた条件が満たされた場合に前記情報処理端末にキーシートを交換すべき旨の指示を送信し、
前記情報処理端末は、
前記指示を受信した場合、前記指示を前記表示部に表示させる請求項５記載の情報処理システム。
【発明の詳細な説明】
【技術分野】
【０００１】
本発明の実施形態は、情報処理端末、キーシート変更方法及び情報処理システムに関する。
【背景技術】
【０００２】
例えば商品の販売店にて顧客の注文をコンピューターによって処理する場合、注文の内容を入力するために情報処理端末が使用される。
【０００３】
この情報処理端末は、注文を受けた商品名が記載されたキーが押下されると、そのキーに対応づけられた信号の入力が行われ、注文の内容の入力がなされる。
【０００４】
ここで、情報処理端末のキーの数には限りがある一方、商品は多岐にわたる。例えば、飲食店において昼間のメニューと夜のメニューとが異なる場合、全てのメニューを情報処理端末に登録しておくのは不可能である。
【０００５】
そこで、商品の名称などを記載したキーシートを入れ替えるとともに、入れ替えたキーシートに対応するキーの登録内容を情報処理端末に登録することにより、注文の入力を可能にすることが行われている。例えば、キーシート毎にＩＤを割り当て、このＩＤを情報処理端末に入力する。
【０００６】
しかし、キーシートを入れ替えた際に、誤ってそのキーシートとは異なるキーシートのＩＤが入力されることがある。
【０００７】
この状態を放置すると、誤った内容にて注文が処理され、損害が発生することがある。
【０００８】
この点に関し、キーシートに無線タグなどのＩＤ部を設け、情報処理端末にこのＩＤを読み取るＩＤ読取部を設け、キーシートを交換すると情報処理端末はキーシートのＩＤをＩＤ読取部によって読み取って、このＩＤに対応する予め格納されているキー配列を読み出す技術が提案されている。
【０００９】
しかし、ＩＤを読み取った後の無線タグは不要であるにも関わらずキーシートに装着されたままになっていると、ＩＤ読取部である無線タグリーダライタは皿やテーブルなどに装着される無線タグを読む際にＩＤ部である無線タグを誤読することがある。
【００１０】
また、ＩＤ部をバーコードにより形成する場合、ＩＤ読取部として設けられるバーコードリーダは他の業務に流用が困難な位置に設置されるため、情報処理端末の製造コストが割高なものとなる。
【００１１】
ここでさらに、キッチンコントローラにより更新されたメニュー情報をバーコード化して印刷し、このバーコードを携帯電話によってセンタ装置に転送し、センタ装置が生成した更新情報を携帯電話によって受信し、受信した更新情報を携帯電話がキッチンコントローラに送信し、キッチンコントローラが受信した更新情報を携帯情報端末に送信するシステムが提案されている。
【００１２】
しかし、このシステムでは、キーシートの変更が携帯情報端末のキーデータの更新を行うトリガーとなっていないため、キーシートと携帯情報端末のキーデータとの齟齬が生じうる。
【先行技術文献】
【特許文献】
【００１３】
【特許文献１】特開２００２−１４９３２２号公報
【特許文献２】特開２００９−１７６０７９号公報
【発明の概要】
【発明が解決しようとする課題】
【００１４】
従って、安価に製造でき、キーシートの誤装着を効果的に防止できる情報処理端末、キーシート変更方法及び情報処理システムが求められている。
【課題を解決するための手段】
【００１５】
上記の課題を解決するために、本発明の一実施形態は、情報を表示する表示部と、キーシートが装着され、情報を入力する入力部と、キーシートに設けられる識別子格納部から識別子を取得する識別子取得部と、キーシートの交換を検知した場合、識別子取得部を介して識別子格納部から識別子を取得し、識別子に基づいてコントローラにキーシートに関する情報を問い合わせ、コントローラが識別子に基づいて前記キーシートに関する情報を格納する格納部から読み出したキーシートに関する情報を受信し、受信したキーシートに関する情報に基づいてキーシートに関する情報を更新する制御部と、を備える情報処理端末を提供する。
【図面の簡単な説明】
【００１６】
【図１】情報処理端末を開いた場合の外観斜視図である。
【図２】第２入力部の図１ＡＡ線断面図である。
【図３】第２入力部の図１ＡＡ線断面図の他の例を示す図である。
【図４】情報処理端末の構成を示すブロック図である。
【図５Ａ】キーシートデータベースのデータ構造を示す図である。
【図５Ｂ】キーシートテーブルのデータ構造を示す図である。
【図６Ａ】無線タグを用いた第１入力部用の第１キーシートの第１の例を示す図である。
【図６Ｂ】無線タグを用いた第１入力部用の第１キーシートの第２の例を示す図である。
【図７Ａ】バーコードを用いた第１入力部用の第１キーシートの第１の例を示す図である。
【図７Ｂ】バーコードを用いた第１入力部用の第１キーシートの第２の例を示す図である。
【図８Ａ】無線タグを用いた第２入力部用の第２キーシートの第１の例を示す図である。
【図８Ｂ】バーコードを用いた第２入力部用の第２キーシートの第１の例を示す図である。
【図９Ａ】無線タグを用いた第２入力部用の第２キーシートの第２の例を示す図である。
【図９Ｂ】バーコードを用いた第２入力部用の第２キーシートの第２の例を示す図である。
【図１０】折り曲げ可能なタブを備えるキーシートの側面断面図である。
【図１１】タブが折り曲げられたキーシートの様子を示す図である。
【図１２】コントローラのキーシートの登録、印刷動作を示すフローチャートである。
【図１３】情報処理端末及びコントローラの動作を示すフローチャートである。
【発明を実施するための形態】
【００１７】
以下、情報処理端末、キーシート変更方法、及び情報処理システムの一実施形態について、図面を用いて詳細に説明する。
【００１８】
ここで、情報処理端末には、いわゆるハンディーターミナルのほか、ＰＯＳ端末、街頭設置型情報処理端末（ＫＩＯＳＫ端末）、等が含まれる。
【００１９】
本実施形態の情報処理端末は、情報を表示する表示部と、キーシートが装着され、情報を入力する入力部と、キーシートに設けられる識別子格納部から識別子を取得する識別子取得部と、キーシートの交換を検知した場合、識別子取得部を介して識別子格納部から識別子を取得し、識別子に基づいてコントローラにキーシートに関する情報を問い合わせ、コントローラが識別子に基づいて前記キーシートに関する情報を格納する格納部から検索して読み出したキーシートに関する情報を受信し、受信したキーシートに関する情報に基づいてキーシートに関する情報を更新する制御部と、を備える。
【００２０】
なお、本実施の形態では、情報処理端末として飲食店用のハンディーターミナルに適用した例を用いて説明する。
【００２１】
図１は、情報処理端末１を開いた場合の外観斜視図である。図１に示すように、情報処理端末１は、本体部１０と、蓋部２０と、を備える。
【００２２】
情報処理端末１は、本体部１０の表面に情報を表示する表示部１１と、テンキーとして使用される第１入力部１２と、キーシートを第１入力部１２に装着するための第１キーシート挿入部１３と、を備える。
【００２３】
表示部１１は、例えば、液晶表示装置（ＬＣＤ）を用いることができる。
【００２４】
第１入力部１２は、タッチパネルを用いることができる。
【００２５】
第１キーシート挿入部１３には、矢印Ｘ１の方向から第１キーシートが挿入される。
【００２６】
情報処理端末１は、蓋部２０の表面にメニューキーとして使用される第２入力部２１と、キーシートを第２入力部２１に装着するための第２キーシート挿入部２２と、を備える。
【００２７】
第２入力部２１は、タッチパネルを用いることができる。
【００２８】
第２キーシート挿入部２２には、矢印Ｘ２の方向から第２キーシートが挿入される。
【００２９】
図２は、第２入力部２１の図１ＡＡ線断面図である。図２に示すように、第２入力部２１は、透明なフィルム３２と、フィルム３２の下層に配置されるキーシート３３と、キーシート３３の下層に配置されるタッチパネル３４と、タッチパネル３４を支持するホルダー３５と、外側ケース３１と、を備える。
【００３０】
この場合、第１入力部１２の断面は、第２入力部２１の断面と同様である。
【００３１】
図３は、第２入力部２１の図１ＡＡ線断面図の他の例を示す図である。図３に示すように、第２入力部２１は、透明なタッチパネル３４と、タッチパネル３４を支持する透明なホルダー３５と、ホルダー３５の下層に配置される透明なフィルム３２と、フィルム３２の下層に配置されるキーシート３３と、外側ケース３１と、を備える。
【００３２】
この場合、第１入力部１２の断面は、第２入力部２１の断面と同様である。
【００３３】
図４は、情報処理端末１の構成を示すブロック図である。図４に示すように、情報処理端末１は、ＣＰＵなどの演算装置を含む制御部４１と、コントローラ２と通信をする通信部４２と、表示部１１と、第１入力部１２と、第２入力部２１と、ＲＯＭ、ＲＡＭなどのメモリを含み、キーシートに独自に割り当てられるＩＤ及びＩＤに対応するキー配列を格納するキーシートテーブル４３Ａを格納する記憶部４３と、本体部１０に振動を生成する振動部４４と、発光をする発光部４５と、音声を発する発声部４６と、無線タグと通信する無線タグリーダライタ４７と、バーコードを撮像する撮像部４８と、を備える。発光部４５は、例えばＬＥＤ等である。また、発生部４６は、スピーカーなどである。
【００３４】
通信部４２は、情報処理端末１によって収集した注文の情報をコントローラ２に送信する。
【００３５】
コントローラ２は、入出力装置、演算装置であるＣＰＵ、記憶装置であるメモリ、通信インターフェース、キーシートを印刷する画像形成部を含む。
【００３６】
コントローラ２は、例えばＬＡＮなどの通信回線網６を介して、注文を集中管理するオーダーターミナル３と、キーシートに関する情報を格納するキーシートデータベース（以下、データベースをＤＢという。）４と、例えば無線ＬＡＮターミナルのような、通信部４２と通信する通信インターフェース５と、接続する。
【００３７】
記憶部４３は、フラッシュＲＯＭなどの不揮発性メモリを含んでいてもよい。
【００３８】
振動部４４、発光部４５、発声部４６は、これらのうち１つまたは複数を省略することもできる。
【００３９】
無線タグリーダライタ４７は、キーシート５１が備えるタブ５２に設けられる無線タグ５３と通信する。
【００４０】
無線タグ５３は、記憶装置であるメモリと、メモリへのデータの読み書きを行う無線タグ制御部と、受信した変調電磁波の整流と安定化を行うことにより電源を供給する電源生成部と、信号を送受信するためのアンテナである無線タグアンテナと、無線タグ制御部から送出されたデータを変調して無線タグアンテナに送出する変調部と、受信した変調電磁波を復調して無線タグ制御部へ送出する復調部とを備える。
【００４１】
無線タグリーダライタは、無線タグ５３との通信を制御し、接続する各ハードウエアを制御するリーダライタ制御部と、リーダライタ制御部から送出された信号を変調する変調部と、変調された信号を増幅してサーキュレータを介してアンテナに送出する送信アンプと、各アンテナからサーキュレータを介して受信した変調電磁波を増幅する受信アンプと、受信した変調信号を復調する復調部と、を備える。またリーダライタ制御部１２６は、ＣＰＵ及びデータを格納するメモリであるＲＯＭ及びＲＡＭを備える。
【００４２】
無線タグリーダライタ４７と無線タグ５３とは、例えばＮＦＣ（Ｎｅａｒ  Ｆｉｅｌｄ  Ｃｏｍｍｕｎｉｃａｔｉｏｎ）等の規格に基づいて通信を行う。
【００４３】
無線タグリーダライタ４７は、テーブルや従業員スタッフの名札に設けられる無線タグと通信することも可能である。
【００４４】
キーシート５１に設けられる無線タグ５３は、当該キーシート５１に対応した、後述するＰ−Ｎｏ．と、ＩＤと、を格納する。このうち、Ｐ−Ｎｏ．は省略することもできる。
【００４５】
撮像部４８はキーシート５１が備えるタブ５２に設けられるバーコード５６を読み取る。
【００４６】
撮像部４８はバーコードを読み取ることができれば装置の種類を問わない。撮像部４８は、ＣＣＤカメラが大きさの点から望ましい。
【００４７】
図５Ａは、キーシートＤＢ４のデータ構造を示す図である。図５Ａに示すように、キーシートＤＢ４は、第１入力部１２又は第２入力部２１の別を示す「Ｐ−Ｎｏ．」と、キーシートに固有に割り当てられる「ＩＤ」と、各キーに割り当てられた内容を示す「キーデータ」と、を格納する。
【００４８】
格納されるデータの例は、Ｐ−Ｎｏ．が「０２」、ＩＤが「００４」、キーデータは、キー１は「ビール」、キー２は「ワイン赤」等、キー４０は「ＥＮＴＥＲ」である。
【００４９】
図５Ｂは、キーシートテーブル４３Ａのデータ構造を示す図である。図５に示すように、キーシートテーブル４３Ａは、第１入力部１２又は第２入力部２１の別を示す「Ｐ−Ｎｏ．」と、キーシートに固有に割り当てられる「ＩＤ」と、各キーに割り当てられた内容を示す「キーデータ」と、を格納する。
【００５０】
格納されるデータの例は、Ｐ−Ｎｏ．が「０２」、ＩＤが「００４」、キーデータは、キー１は「ビール」、キー２は「ワイン赤」等、キー４０は「ＥＮＴＥＲ」である。
【００５１】
図６Ａは、無線タグを用いた第１入力部１２用の第１キーシートの第１の例を示す図である。図６Ａに示すように、第１キーシートの第１の例はテンキーの配列が携帯電話の並び方となっている。
【００５２】
また、第１キーシート５１は切除又は折り曲げ可能なタブ５２と、タブ５２に設けられる無線タグ５３と、を備える。タブ５２の第１キーシート５１への接続部分には切除又は折り曲げのためのミシン目５４を設けてもよい。
【００５３】
図６Ｂは、無線タグを用いた第１入力部１２用の第１キーシートの第２の例を示す図である。図６Ｂに示すように、第１キーシートの第２の例はテンキーの配列が電子卓上計算機の並び方となっている。
【００５４】
また、第１キーシート５１は切除又は折り曲げ可能なタブ５２と、タブ５２に設けられるバーコード５６と、を備える。タブ５２の第１キーシート５１への接続部分には切除又は折り曲げのためのミシン目５４を設けてもよい。
【００５５】
図７Ａは、バーコードを用いた第１入力部１２用の第１キーシートの第１の例を示す図である。図７Ａに示すように、第１キーシートの第１の例はテンキーの配列が携帯電話の並び方となっている。
【００５６】
また、第１キーシート５１は切除又は折り曲げ可能なタブ５２と、タブ５２に設けられる無線タグ５３と、を備える。タブ５２の第１キーシート５１への接続部分には切除又は折り曲げのためのミシン目５４を設けてもよい。
【００５７】
図７Ｂは、バーコードを用いた第１入力部１２用の第１キーシートの第２の例を示す図である。図７に示すように、第１キーシートの第２の例はテンキーの配列が電子卓上計算機の並び方となっている。
【００５８】
また、第１キーシート５１は切除又は折り曲げ可能なタブ５２と、タブ５２に設けられるバーコード５６と、を備える。タブ５２の第１キーシート５１への接続部分には切除又は折り曲げのためのミシン目５４を設けてもよい。
【００５９】
ユーザは、携帯電話並びのテンキーと、電子卓上計算機の並びのテンキーとを、キーシートを交換することにより選択することができる。
【００６０】
図８Ａは、無線タグを用いた第２入力部２１用の第２キーシートの第１の例を示す図である。図８Ａに示すように、第２キーシートの第１の例は、各キーの位置にソフトドリンクなどを初めとする昼間用のメニューが記載される。右下には「ＥＮＴＥＲ」が記載される。
【００６１】
また、第２キーシート８１は切除又は折り曲げ可能なタブ５２と、タブ５２に設けられる無線タグ５３と、を備える。タブ５２の第２キーシート８１への接続部分には切除又は折り曲げのためのミシン目５４を設けてもよい。
【００６２】
図８Ｂは、バーコードを用いた第２入力部２１用の第２キーシートの第１の例を示す図である。図８Ｂに示すように、第２キーシートの第１の例は、各キーの位置にソフトドリンクなどを初めとする昼間用のメニューが記載される。右下には「ＥＮＴＥＲ」が記載される。
【００６３】
また、第２キーシート８１は切除又は折り曲げ可能なタブ５２と、タブ５２に設けられるバーコード５６と、を備える。タブ５２の第２キーシート８１への接続部分には切除又は折り曲げのためのミシン目５４を設けてもよい。
【００６４】
図９Ａは、無線タグを用いた第２入力部２１用の第２キーシートの第２の例を示す図である。図９Ａに示すように、第２キーシートの第１の例は、各キーの位置にアルコール類などを初めとする夜間用のメニューが記載される。右下には「ＥＮＴＥＲ」が記載される。
【００６５】
また、第２キーシート８１は切除又は折り曲げ可能なタブ５２と、タブ５２に設けられる無線タグ５３と、を備える。タブ５２の第２キーシート８１への接続部分には切除又は折り曲げのためのミシン目５４を設けてもよい。
【００６６】
図９Ｂは、バーコードを用いた第２入力部２１用の第２キーシートの第２の例を示す図である。図９Ｂに示すように、第２キーシートの第１の例は、各キーの位置にアルコール類などを初めとする夜間用のメニューが記載される。右下には「ＥＮＴＥＲ」が記載される。
【００６７】
また、第２キーシート８１は切除又は折り曲げ可能なタブ５２と、タブ５２に設けられるバーコード５６と、を備える。タブ５２の第２キーシート８１への接続部分には切除又は折り曲げのためのミシン目５４を設けてもよい。
【００６８】
ユーザは、昼間用のメニューと、夜間用のメニューとを、キーシートを交換することにより選択することができる。
【００６９】
なお、第１キーシート５１及び第２キーシート８１のキーの形状は任意に設定できる。図９Ａ及び図９Ｂに示す例では、キー８２に無効なキーが割り当てられている。このキー８２を押下しても当該入力は無視される。
【００７０】
この場合、キーシートテーブル４３Ａのキー８２に対応するキーデータは「ＮＵＬＬ」が格納される。
【００７１】
或いは、キー８３に示すように、大きな長方形や、十字など、任意の形状のキーを設定することもできる。
【００７２】
この場合、キーシートテーブル４３Ａのキー８３に対応する複数のキーのキーデータは同じデータである「焼き鳥セット」がそれぞれ格納される。
【００７３】
加えて、キーシートテーブル４３Ａのキーの領域をキーの形状に合わせて、多角形の頂点の座標、円の中心及び半径によって別途定義することも可能である。
【００７４】
図１０は、折り曲げ可能なタブ５２を備えるキーシート９１の側面断面図である。図１１は、タブ５２が折り曲げられたキーシート９１の様子を示す図である。
【００７５】
図１０及び図１１に示すように、タブ５２が折り曲げ可能な場合には、キーシート９１は、無線タグ５３が設けられる面の無線タグ５３とキーシート９１との間に、タブ５２が折り曲げられたときに無線タグを複数の面から被覆するように遮蔽層９２を有する。
【００７６】
遮蔽層９２は、例えば金属によって形成され、無線タグリーダライタ４７からの電波を遮蔽する。
【００７７】
従って、キーシート９１の無線タグ５３を誤読することが回避できる。
【００７８】
図１２は、コントローラ２のキーシートの登録、印刷動作を示すフローチャートである。図１２に示すように、動作１２０１において、コントローラ２は入出力装置からキーシート情報を入力する。このキーシート情報にはＰ−Ｎｏ．、ＩＤ、キーデータが含まれる。
【００７９】
キーシート情報にはキーの形状を示すレイアウトデータが含まれていてもよい。
【００８０】
動作１２０２において、コントローラ２は、入力されたキーシート情報をキーシートＤＢ４に格納する。
【００８１】
動作１２０３において、コントローラ２は、入出力装置を介して入力されたＰ−Ｎｏ．及びＩＤに基づいてキーシートＤＢ４を検索し、対応するキーシート情報を読み出してキーシートとして印刷する。
【００８２】
図１３は、情報処理端末１及びコントローラ２の動作を示すフローチャートである。情報処理端末１は、制御部４１により、キーシートの交換の際には無線タグ５３と通信してＩＤを入力し、このＩＤに基づいてコントローラ２にキーシート情報を問い合わせる。
【００８３】
コントローラ２はキーシートＤＢ４をＩＤに基づいて検索し、対応するキーシート情報を読み込み、情報処理端末１に送信する。
【００８４】
情報処理端末１は受信したキーシート情報によってキーシートテーブル４３Ａを更新する。
【００８５】
情報処理端末１は、キーデータを読み出した後に、表示部１１にタブ５２を切除または折り曲げる旨の指示を表示する。
【００８６】
ユーザはこの指示に従って、タブ５２を切除または折り曲げることにより、無線タグ５３を無効化し、誤読を防止することが可能となる。
【００８７】
具体的には、図１３に示すように、動作１３０１において情報処理端末１は第１入力部１２又は第２入力部２１からの入力によりキーシートの変更指示があったかを判定する。情報処理端末１は、キーシートの変更指示によりキーシートの変更があったと判定した場合、動作１３０２に進み、変更指示があったと判定しなかった場合、動作１３０１に戻る。
【００８８】
なお、コントローラ２は情報処理端末１に、指定日時になった場合、或いは、原稿のキーシートの使用期限が切れた場合など、予め定められた条件が満たされた場合に、キーシートを交換すべき旨の指示を送信し、情報処理端末１はこの交換指示を受信したと判定した場合に、前記表示部１１にキーシートを交換すべき旨を表示し、動作１３０２に進むように構成することもできる。この際、振動部４４を振動させ、発光部４５を光らせ、発声部４６にキーシートを交換すべき旨を発声させてもよい。
【００８９】
動作１３０２において、情報処理端末１は、Ｐ−Ｎｏ．及びＩＤを、無線タグリーダライタ４７を介して無線タグ５３から通信により、または撮像部４８を介してバーコード５６を撮像することにより入力する。
【００９０】
動作１３０３において、情報処理端末１は、コントローラ２にＰ−Ｎｏ．及びＩＤに基づいてキーシート情報を問い合わせる。
【００９１】
動作１３０４において、コントローラ２は情報処理端末１からの問合せを受信する。
【００９２】
動作１３０５において、コントローラ２は、Ｐ−Ｎｏ．及びＩＤに基づいてキーシートＤＢ４を検索し、対応するキーシート情報を読み込む。
【００９３】
動作１３０６において、コントローラ２はキーシート情報を情報処理端末１に送信する。
【００９４】
動作１３０７において、情報処理端末１はコントローラ２からキーシートデータを受信する。
【００９５】
動作１３０８において、情報処理端末１は受信したキーシートデータに基づいてキーシートテーブル４３Ａを更新する。
【００９６】
動作１３０９において、情報処理端末１は、キーシートに設けられる識別子格納部を無効化する旨の指示、具体的にはタブ５２を切除または折り曲げる旨の指示を表示部１１に一定時間出力する。
【００９７】
動作１３１０において、情報処理端末１は、通常画面を表示する。この際、振動部４４が振動し、発光部４５が点滅し、発声部４６は更新が完了した旨の音声を発声するようにしてもよい。
【００９８】
以上述べたように、本実施形態の情報処理端末１は、情報を表示する表示部１１と、テンキーとして使用される第１入力部１２と、メニューキーとして使用される第２入力部２１と、キーシート９１に切除または折り曲げ可能に取り付けられるタブ５２に設けられる無線タグ５３と通信する無線タグリーダライタ４７と、キーシート９１の交換を検知した場合、無線タグリーダライタ４７を介して無線タグ５３と通信してＩＤを取得し、このＩＤに基づいてコントローラ２にキーシート情報を問い合わせ、コントローラ２がこのＩＤに基づいてキーシートＤＢ４を検索して読み出したキーシート情報を受信し、受信したキーシート情報に基づいてキーシートテーブル４３Ａを更新し、キーシートテーブル４３Ａを更新した後にタブ５２を切除または折り曲げることによって無効化する旨の指示を表示部１１に表示する制御部と、を備える。
【００９９】
従って、キーシートの誤装着を効果的に防止できるという効果がある。
【０１００】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０１】
１：携帯情報端末
２：コントローラ
４：キーシートデータベース
１２：第１入力部
２１：第２入力部２１
４７：無線タグリーダライタ
５２：タブ
５３：無線タグ
５６：バーコード
【図１】
2013250842.tif 000003
【図２】
2013250842.tif 000004
【図３】
2013250842.tif 000005
【図４】
2013250842.tif 000006
【図５Ａ】
2013250842.tif 000007
【図５Ｂ】
2013250842.tif 000008
【図６Ａ】
2013250842.tif 000009
【図６Ｂ】
2013250842.tif 000010
【図７Ａ】
2013250842.tif 000011
【図７Ｂ】
2013250842.tif 000012
【図８Ａ】
2013250842.tif 000013
【図８Ｂ】
2013250842.tif 000014
【図９Ａ】
2013250842.tif 000015
【図９Ｂ】
2013250842.tif 000016
【図１０】
2013250842.tif 000017
【図１１】
2013250842.tif 000018
【図１２】
2013250842.tif 000019
【図１３】
2013250842.tif 000020